(57)【特許請求の範囲】
【請求項１】
水平方向に間隔をあけて配置された枠材の間に架設される側枠と、
前記枠材に固定されて前記側枠に挿入された状態で該側枠が固定される固定金具と、を有する側枠の取付構造において、
前記固定金具は、前記枠材に固定される枠材固定部と、
該枠材固定部から前記側枠が架設される側に突出し該側枠の内部に挿入されて該側枠を設置高さに保持する側枠保持部と、
前記枠材固定部から前記側枠が架設される側に突出し該側枠の内部に挿入されて該側枠が固定される側枠固定部と、を有し、
前記側枠は、挿入された前記側枠保持部に少なくとも上側から引っ掛かる引っ掛かり部を有するとともに、前記側枠固定部に下側からネジで固定されていることを特徴とする側枠の取付構造。
【請求項２】
水平方向に間隔をあけて配置された枠材の間に架設される側枠の施工方法において、
前記側枠が固定される固定金具を前記枠材に固定する固定金具固定工程と、
該固定金具固定工程の後に前記固定金具に前記側枠を固定する側枠固定工程と、を有し、
前記固定金具は、前記枠材に固定される枠材固定部と、
該枠材固定部から前記側枠が架設される側に突出し該側枠の内部に挿入されて該側枠を設置高さに保持する側枠保持部と、
前記枠材固定部から前記側枠が架設される側に突出し該側枠の内部に挿入されて該側枠が固定される側枠固定部と、を有し、
前記側枠は、挿入された前記側枠保持部に少なくとも上側から引っ掛かる引っ掛かり部を有し、
前記側枠固定工程では、前記側枠の内部に前記側枠保持部および前記側枠固定部を挿入し、前記側枠保持部に前記引っ掛かり部を引っ掛けて前記側枠を設置高さに保持してから、前記側枠を前記側枠固定部に下側からネジで固定することを特徴とする側枠の施工方法。
【発明の詳細な説明】
【技術分野】
【０００１】
本発明は、テラスや物干しルームなどのテラス囲いに設けられる側枠の取付構造および側枠の施工方法に関する。
【背景技術】
【０００２】
従来、テラス囲いに設けられて、前枠と建物に固定された躯体枠との間に架設された側枠は、前枠および躯体枠にそれぞれ取り付けられた固定金具に固定されている。（例えば、特許文献１参照）。
固定金具は、前枠および躯体枠から突出するように取り付けられていて、側枠の内部に挿入された状態で側方から側枠がネジで固定されている。
【先行技術文献】
【特許文献】
【０００３】
【特許文献１】特開２０１２−２２９５７３号公報
【発明の概要】
【発明が解決しようとする課題】
【０００４】
しかしながら、入り隅部分などに設けられるテラス囲いのように側枠の側方に構造物の外壁があると、側枠の側方にスペースが少なく側枠を側方から固定金具に固定することが困難である。
また、側枠の固定金具への固定は、作業員が側枠を設置高さに保持しながら側枠をネジで固定金具に固定しなければならないため、容易に行うことができないという問題がある。
【０００５】
そこで本発明は、側枠を容易に設置することができる側枠の取付構造および側枠の施工方法を提供することを目的とする。
【課題を解決するための手段】
【０００６】
上記目的を達成するため、本発明に係る側枠の取付構造は、水平方向に間隔をあけて配置された枠材の間に架設される側枠と、前記枠材に固定されて前記側枠に挿入された状態で該側枠が固定される固定金具と、を有する側枠の取付構造において、前記固定金具は、前記枠材に固定される枠材固定部と、該枠材固定部から前記側枠が架設される側に突出し該側枠の内部に挿入されて該側枠を設置高さに保持する側枠保持部と、前記枠材固定部から前記側枠が架設される側に突出し該側枠の内部に挿入されて該側枠が固定される側枠固定部と、を有し、前記側枠は、挿入された前記側枠保持部に少なくとも上側から引っ掛かる引っ掛かり部を有するとともに、前記側枠固定部に下側からネジで固定されていることを特徴とする。
【０００７】
また、本発明に係る側枠の施工方法は、水平方向に間隔をあけて配置された枠材の間に架設される側枠の施工方法において、前記側枠が固定される固定金具を前記枠材に固定する固定金具固定工程と、該固定金具固定工程の後に前記固定金具に前記側枠を固定する側枠固定工程と、を有し、前記固定金具は、前記枠材に固定される枠材固定部と、該枠材固定部から前記側枠が架設される側に突出し該側枠の内部に挿入されて該側枠を設置高さに保持する側枠保持部と、前記枠材固定部から前記側枠が架設される側に突出し該側枠の内部に挿入されて該側枠が固定される側枠固定部と、を有し、前記側枠は、挿入された前記側枠保持部に少なくとも上側から引っ掛かる引っ掛かり部を有し、前記側枠固定工程では、前記側枠の内部に前記側枠保持部および前記側枠固定部を挿入し、前記側枠保持部に前記引っ掛かり部を引っ掛けて前記側枠を設置高さに保持してから、前記側枠を前記側枠固定部に下側からネジで固定することを特徴とする。
【０００８】
本発明では、側枠の内部に枠材に固定された固定金具の側枠保持部が挿入されると、側枠保持部に側枠の引っ掛かり部が少なくとも上から引っ掛かることになる。これにより、側枠は作業者に持ち上げられていなくても傾くことなく設置高さに保持された状態となる。このため、作業員は、側枠を固定金具にネジで固定する際に側枠を持ち上げて設置高さに把持する必要がなく、両手でネジとドライバーなどの締結工具を把持することができ、側枠の固定金具への固定を容易に行うことができる。
また、本発明では、側枠は下側から側枠固定部にネジで固定されるため、側枠の側方に外壁などが設けられていても、外壁などと干渉することなく側枠を固定金具に容易に固定することができる。
【発明の効果】
【０００９】
本発明によれば、側枠を容易に設置することができる。
【図面の簡単な説明】
【００１０】
【図１】本発明の実施形態によるテラス囲いの一例を示す正面図である。
【図２】図１のＡ−Ａ線断面図である。
【図３】固定金具を説明する斜視図である。
【図４】図２のＢ部分拡大図である。
【図５】図２のＣ−Ｃ線断面図である。
【図６】固定金具および側枠の取り付けを説明する分解斜視図である。
【発明を実施するための形態】
【００１１】
以下、本発明の実施形態による側枠の取付構造および側枠の施工方法について、図１乃至図６に基づいて説明する。
図１および図２に示すように、本実施形態による側枠の取付構造１は、建物１１の外部に建物１１と連続して設けられるテラスや物干しルームなどのテラス囲い１２の側部に設けられる側枠２の取付構造である。
ここで、建物１１の外壁１３に直交する水平方向（図１の紙面に直交する方向、図２の左右方向）を前後方向とし、この前後方向に直交する水平方向（図１の左右方向、図２の紙面に直交する方向）を幅方向とする。前後方向のうちの建物１１に対してテラス囲い１２が設けられている側を前側とし、その反対側を後側とする。また、側枠２に対して幅方向のうちのテラス囲い１２の内部側を内側とし、テラス囲い１２と離間する側を外側とする。
図１および図２では、テラス囲い１２に設けられるサッシやパネル（壁部）を省略している。
【００１２】
図２に示すように。側枠２は、前後方向に延在する部材で、外壁１３に固定された躯体枠１４Ａと、外壁１３の前側に外壁１３と間隔をあけて配置された柱１５，１５に固定された前枠１４Ｂとの間に架設されている。躯体枠１４Ａは、上下方向に延在し、前枠１４Ｂは幅方向に延在している。
躯体枠１４Ａおよび前枠１４Ｂには固定金具３，３が固定されていて、躯体枠１４Ａに固定された固定金具３に側枠２の後端部が固定され、前枠１４Ｂに固定された固定金具３に側枠２の前端部が固定されている。
躯体枠１４Ａおよび前枠１４Ｂを枠材１４として以下説明する。
【００１３】
図３乃至図６に示すように、固定金具３は、枠材１４（図４乃至図６参照）に固定される枠材固定部３１と、側枠２（図４乃至図６参照）を設置位置に保持する側枠保持部３２と、側枠２が固定される側枠固定部３３と、を有している。枠材固定部３１、側枠保持部３２および側枠固定部３３は、アルミニウムを材料として一体に成形されている。なお、図４では、前枠１４Ｂに固定された固定金具３を示し、図５および図６では、躯体枠１４Ａに固定された固定金具３を示しているが、固定金具３は、躯体枠１４Ａおよび前枠１４Ｂに対して同様に固定されている。
【００１４】
枠材固定部３１は、板面が鉛直面となる平板状に形成されていて、一方の面３１ａが枠材１４に面接触した状態で枠材１４に固定されている。躯体枠１４Ａに固定される固定金具３は、枠材固定部３１の一方の面３１ａが躯体枠１４Ａの前面に面接触した状態で躯体枠１４Ａに第１ネジ３４（図４および図５参照）によって固定されている。本実施形態では、枠材固定部３１は、幅方向に間隔をあけて配置された２つの第１ネジ３４，３４によって枠材１４に固定されている。
また、前枠１４Ｂに固定される固定金具３は、枠材固定部３１の一方の面３１ａが前枠１４Ｂの後面に面接触した状態で前枠１４Ｂに第２ネジ（ネジ）３５（図４および図５参照）で固定されている。
【００１５】
側枠保持部３２は、板面が水平面となる平板状に形成されていて、枠材固定部３１の他方の面３１ｂにおける上端部から前後方向の枠材１４と離間する方向に突出するように設けられている。側枠保持部３２の先端部近傍の上面には、基端側（枠材固定部３１側）から先端側に向かって漸次下側に傾斜する傾斜面３２１が形成されている。
【００１６】
側枠固定部３３は、板面が水平面となる平板状に形成されていて、枠材固定部３１の他方の面３１ｂにおける下端部から前後方向の枠材１４と離間する方向に突出するように設けられている。側枠固定部３３の上面には、幅方向に延在し下側に凹む溝部３３１が形成されている。
本実施形態では、側枠固定部３３は、側枠保持部３２よりも突出寸法が長くなるように形成されている。
【００１７】
図４乃至図６に示すように、側枠２は、前後方向に延在する筒状部２１と、筒状部２１の外側における上部側に一体に形成されテラス囲い１２の欄間のパネルやガラスなどの面材を支持する面材支持部２２とを有している。
図５に示すように、筒状部２１は、それぞれ板面が略水平面となり上下に間隔をあけて配置される上板部２１１および下板部２１２と、板面が略鉛直面となり上板部２１１の内側の端部および下板部２１２の内側の端部に連続する内板部２１３と、上板部２１１の外側の端部および下板部２１２の外側の端部に連続する外板部２１４と、を有している。これらの上板部２１１、下板部２１２、内板部２１３および外板部２１４は一体に形成されていて筒状体を構成している。
【００１８】
内板部２１３には、上下方向の中間部に筒状部２１の内側に向かって突出するフィン（引っ掛かり部）２１５が形成されている。このフィン２１５は筒状部２１の長さ方向（前後方向）全体にわたって形成されている。
外板部２１４は、上部側に配置され上板部２１１と連続し面材支持部２２と一体となる上側板部２１４ａと、上側板部２１４ａの下端部から幅方向の外側に向かって漸次下側に傾斜する傾斜板部２１４ｂと、傾斜板部２１４ｂの幅方向の外側の端部および下板部２１２の外側の端部と連続し板面が鉛直面となる下側板部２１４ｃと、を有している。外板部２１４には、上側板部２１４ａと傾斜板部２１４ｂとの接続部から下方に突出する突出部（引っ掛かり部）２１６が前後方向全体にわたって形成されている。この突出部２１６の下端部は、内板部２１３に形成されたフィン２１５の下面と略同じ高さで、幅方向に対向した位置に配置されている。
下板部２１２には、長さ方向に延在し下面においては上側に凹み上面においては上側に突出する２つの溝部２１７，２１７が幅方向に間隔をあけて形成されている。
【００１９】
このような側枠２は、両端部に枠材１４に固定された固定金具３が挿入され、挿入された固定金具３に第２ネジ３５で固定されている。
固定金具３が側枠２の端部に挿入されると、側枠保持部３２の上面に側枠２のフィン２１５および突出部２１６が載って引っ掛かるとともに、側枠固定部３３の下に側枠２の下板部２１２が配置された状態となる。側枠２は、フィン２１５および突出部２１６が側枠保持部３２の上面に載って引っ掛かることにより、設置高さに保持された状態となるように構成される。
【００２０】
側枠２は、設置高さに保持された状態で下板部２１２が固定金具３の側枠固定部３３に下側から第２ネジ３５で固定されている。本実施形態では、幅方向に間隔をあけて配置された２つの第２ネジ３５によって下板部２１２が側枠固定部３３に固定されている。
この２つの第２ネジ３５は、それぞれ下板部２１２の溝部２１７を上下方向に貫通しているとともに、固定金具３の側枠固定部３３の溝部３３１を上下方向に貫通している。
【００２１】
次に、枠材１４への側枠２の施工方法について説明する。
まず、躯体枠１４Ａおよび前枠１４Ｂに固定金具３を固定する。
躯体枠１４Ａの前面のうちの側枠２が設置される高さに、固定金具３の枠材固定部３１の一方の面３１ａを当接させるようにして固定金具３を躯体枠１４Ａに第１ネジ３４，３４で固定する。また、前枠１４Ｂの後面のうちの側枠２が設置される高さの部分に、固定金具３の枠材固定部３１の一方の面３１ａを当接させるようにして固定金具３を前枠１４Ｂに第１ネジ３４，３４で固定する。
【００２２】
続いて、側枠２を躯体枠１４Ａと前枠１４Ｂとの間に設置する。
側枠２の後端部に躯体枠１４Ａに固定された固定金具３を挿入し、側枠２の前端部に前枠１４Ｂに固定された固定金具３を挿入する。
このとき、固定金具３の側枠保持部３２の上面に側枠２のフィン２１５および突出部２１６を載せて、これらのフィン２１５および突出部２１６が側枠保持部３２の上面に引っ掛かった状態とする。これにより、側枠２が固定金具３に第２ネジ３５，３５で固定されていない状態に作業者が側枠２を持ち上げていなくても、側枠２が設置高さに保持される。
【００２３】
続いて、側枠２を固定金具３に固定する。
側枠２の下板部２１２を固定金具３の側枠固定部３３に下側から第２ネジ３５，３５で固定する。
このようにして側枠２が躯体枠１４Ａおよび前枠１４Ｂの間に架設される。
【００２４】
次に、上述した側枠の取付構造１および側枠の施工方法の作用・効果について図面を用いて説明する。
上述した本実施形態による側枠の取付構造１では、側枠２に固定金具３が挿入されると、固定金具３の側枠保持部３２に側枠２のフィン２１５および突出部２１６が上側から載って引っ掛かることになる。これにより、側枠２は、作業者に持ち上げられていなくても傾くことなく設置高さに保持された状態となる。このため、作業員は、側枠２を固定金具３に固定する際に側枠２を設置高さに把持する必要がなく、両手で第２ネジ３５とドライバーなどの締結工具を把持することができ、側枠２の固定金具３への固定を容易に行うことができる。
また、幅方向に対向した位置に配置された側枠２のフィン２１５および突出部２１６が、固定金具３の側枠保持部３２の幅方向の両端部に載って引っ掛かるため、固定金具３によって設置高さに保持された側枠２がその軸回りに回動する方向に傾くことを防止することができる。
【００２５】
また、従来のように、枠材１４に固定された固定金具に側枠２を側方から固定する場合、側枠２の側方（本実施形態では幅方向の外側）に外壁などが設けられていると、側枠２を固定金具に固定することが困難であるが、本発明では、側枠２を固定金具に下側から固定する構成であるため、側枠２の側方に外壁などが設けられていても、側枠２を固定金具３に容易に固定することができる。
【００２６】
また、固定金具３が例えばステンレスを材料として形成されていると、側枠２を固定金具３に電動工具を用いて第２ネジ３５で固定した際に焼きつきが生じることがあるが、本実施形態では、固定金具３がアルミニウムを材料として形成されていることにより、焼き付きを防止することができる。
【００２７】
また、固定金具３の側枠保持部３２の上面における先端部近傍に傾斜面３２１が形成されていることにより、側枠２のフィン２１５および突出部２１６をこの傾斜面３２１に載せて滑らすことで、フィン２１５および突出部２１６を側枠保持部３２の上面に容易に配置することができる。これにより、側枠２を設置高さに容易に配置することができる。
また、側枠２は、幅方向に間隔をあけた２つの第２ネジ３５，３５によって固定されていることにより、側枠２が軸線回りにねじれることを防止できる。
【００２８】
以上、本発明による側枠の取付構造１および側枠の施工方法の実施形態について説明したが、本発明は上記の実施形態に限定されるものではなく、その趣旨を逸脱しない範囲で適宜変更可能である。
例えば、上記の実施形態では、固定金具３を躯体枠１４Ａおよび前枠１４Ｂに固定し、この固定金具３に側枠２を固定して側枠２を躯体枠１４Ａと前枠１４Ｂとの間に架設する構成であるが、外壁１３や柱１５などに固定金具３を直接固定してこれらの間に側枠２を架設する構成としてもよい。
また、上記の実施形態では、側枠２は筒状に形成されているが、固定金具３が挿入される空部が形成されていれば筒状でなくてもよい。
【００２９】
また、上記の実施形態では、側枠２のフィン２１５および突出部２１６が固定金具３の側枠保持部３２の上面に載って引っ掛かるように構成されているが、側枠２の側枠保持部３２の上面に載って引っ掛かる部分は、本実施形態のフィン２１５や突出部２１６以外の形態に形成されていてもよい。例えば、フィン２１５および突出部２１６は側枠２の長さ方向全体に形成されているが、側枠２の端部近傍のみに形成されていてもよい。また、フィン２１５および突出部２１６は平板状であるが、平板状以外の形状に形成されていてもよい。また、側枠２には、フィン２１５および突出部２１６のいずれか一方のみが形成されていてもよい。また、側枠２の側枠保持部３２の上面に載って引っ掛かる部分は、側枠保持部３２の上面以外にも引っ掛かるように構成されていてもよい。
【００３０】
また、上記の実施形態では、固定金具３はアルミニウムを材料として形成されているが、ステンレスなどアルミニウム以外を材料として形成されていてもよい。
【符号の説明】
【００３１】
１  側枠の取付構造
２  側枠
３  固定金具
１４  枠材
１４Ａ  躯体枠（枠材）
１４Ｂ  前枠（枠材）
３１  枠材固定部
３２  側枠保持部
３３  側枠固定部
３５  第２ネジ（ネジ）
２１５  フィン（引っ掛かり部）
２１６  突出部（引っ掛かり部）
【図１】
0006441766.tif 000002
【図２】
0006441766.tif 000003
【図３】
0006441766.tif 000004
【図４】
0006441766.tif 000005
【図５】
0006441766.tif 000006
【図６】
0006441766.tif 000007